(57)【要約】【課題】装飾具をユーザが適宜選択でき、釦等の突起のないものに対して取り付けることができるようなアタッチメント装置を提供する。【解決手段】本体概形がプレート状をしており、物品に取り付けられる取付部１２を有する第１接続部材１０と、第１接続部材１０に接続され、ユーザの装着物（洋服、かばん、リュックサックなど）に取り付けられる第２接続部材２０と、を備え、第１接続部材１０と第２接続部材２０とを、例えば、磁性的結合によって接続する。【選択図】  図１
2020115945.tif 000002
【特許請求の範囲】
【請求項１】
本体概形がプレート状をしており、物品に取り付けられる取付部を有する第１接続部材と、
前記第１接続部材に接続される第２接続部材と、を備え、
前記第１接続部材と前記第２接続部材とは、磁性的結合、機械的結合、化学的結合のいずれかによって接続されている、アタッチメント装置。
【請求項２】
前記第１接続部材は、樹脂製の部材、木製の部材、金属製の部材、又は、磁性体を有する部材である、請求項１記載のアタッチメント装置。
【請求項３】
前記取付部は、ねじ山を備える柱状の部位、又は、リング形状の部位を含む、請求項１記載のアタッチメント装置。
【請求項４】
前記物品は、コサージュを含む装飾品、眼鏡を含むウェアラブルデバイス、身分証となる名刺、缶バッジ、ぬいぐるみ、人形、ウィックを含むアクセサリー、香料が付着された多孔石を含む多孔媒体のいずれかである、請求項１記載のアタッチメント装置。
【請求項５】
本体概形がプレート状をしており、物品に取り付けられる取付部が当該プレートから突出している第１接続部材と、
磁石を有していて、前記第１接続部材とは、磁性的結合、機械的結合、化学的結合のいずれかによって接続される第２接続部材と、
を備えるアタッチメント装置。
【請求項６】
本体概形がプレート状をしており、物品の一部が通されるリング形状を含む取付部が当該プレートから突出している第１接続部材と、
磁石を有していて、前記第１接続部材とは、磁性的結合、機械的結合、化学的結合のいずれかによって接続される第２接続部材と、
を備えるアタッチメント装置。
【請求項７】
本体概形がプレート状をしていて物品に取り付けられる取付部を有する第１接続部材と、
前記第１接続部材とは、磁性的結合される磁石を有する第２接続部材と、
を備えるアタッチメント装置。
【請求項８】
外壁に物品が取り付けられ、内壁にねじ山を有する取付部材と、
前記取付部材と螺合される取付部を有する概形がプレート状の接続部材と、
を備えるアタッチメント装置。
【発明の詳細な説明】
【技術分野】
【０００１】
本発明は、アタッチメント装置に関し、特に、装飾品などを洋服等に装着可能なアタッチメント装置に関する。
【背景技術】
【０００２】
従来、取り出しが簡単で、紛失を防止でき、かつ、広い収納スペースを不要にできる磁石付き装飾具が開示されている（特許文献１）。磁石付き装飾具は、表面が装飾処理された装飾部と、この装飾部の裏面に貼設され、洋服の釦等の突起に係止される係止部とを備える。この係止部は、突起が収納される中空容器と、この中空容器に開閉自在に取り付けられ、突起に係止される蓋部とを有する。この蓋部は、磁気を有する材料で製作する。この磁石付き装飾具は、蓋部をその磁力により金属部分に取り付けられるので、装飾具を露出させて収納できる、とされている。
【先行技術文献】
【特許文献】
【０００３】
【特許文献１】特開平７−２０４０１７号公報
【発明の開示】
【発明が解決しようとする課題】
【０００４】
しかし、特許文献１に記載されている磁石付き装飾具自体が装飾部を備える。したがって、装飾具をユーザが適宜選択する自由度に欠ける。また、この磁石付き装飾具は、洋服の釦等の突起に係止される係止部を備えている。したがって、釦等の突起のないものに対して取り付けることができない。
【０００５】
そこで、本発明は、これらの装飾具をユーザが適宜選択でき、釦等の突起のないものに対して取り付けることができるようなアタッチメント装置を提供することを課題とする。
【課題を解決するための手段】
【０００６】
上記課題を解決するために、本発明のアタッチメント装置は、
本体概形がプレート状をしており、物品に取り付けられる取付部を有する第１接続部材と、
前記第１接続部材に接続される第２接続部材と、を備え、
前記第１接続部材と前記第２接続部材とは、磁性的結合、機械的結合、化学的結合のいずれかによって接続されている。
【０００７】
前記第１接続部材は、樹脂製の部材、木製の部材、金属製の部材、又は、磁性体を有する部材である。
【０００８】
前記取付部は、ねじ山を備える柱状の部位、又は、パイプ状の部位を含んでもよい。
【０００９】
前記物品は、コサージュを含む装飾品、眼鏡を含むウェアラブルデバイス、身分証となる名刺、缶バッジ、ぬいぐるみを含むアクセサリー、香料が付着された多孔石を含む多孔媒体のいずれかとする頃ができる。
【００１０】
また、本発明のアタッチメント装置は、本体概形がプレート状をしており、物品に取り付けられる取付部が当該プレートから突出している第１接続部材と、
磁石を有していて、前記第１接続部材とは、磁性的結合、機械的結合、化学的結合のい
ずれかによって接続される第２接続部材とを備える。  
【００１１】
さらに、本発明のアタッチメント装置は、本体概形がプレート状をしており、物品の一部が通されるリング形状を含む取付部が当該プレートから突出している第１接続部材と、
磁石を有していて、前記第１接続部材とは、磁性的結合、機械的結合、化学的結合のいずれかによって接続される第２接続部材と、を備える。  
【００１２】
さらにまた、本発明のアタッチメント装置は、本体概形がプレート状をしていて物品に取り付けられる取付部を有する第１接続部材と、
前記第１接続部材とは、磁性的結合される磁石を有する第２接続部材と、を備える。  
【００１３】
また、本発明のアタッチメント装置は、外壁に物品が取り付けられ、内壁にねじ山を有する取付部材と、
前記取付部材と螺合される取付部を有する概形がプレート状の接続部材と、を備える。
【図面の簡単な説明】
【００１４】
【図１】本発明の実施形態１のアタッチメント装置１００の構成図である。
【図２】本発明の実施形態２に係る第１接続部材１０の構成図である。
【図３】本発明の実施形態３に係る第２接続部材２０の構成図である。
【図４】図３に示した第１接続部材１０の変形例を示す図である。
【図５】本発明の実施形態３に係る第２接続部材２０の構成図である。
【図６】図５に示した第２接続部材２０に好適に用いることができる第１接続部材１０の構成図である。
【図７】図１に示す第２接続部材２０の取付部１２に取り付けられる取付部材３０を示す図である。
【符号の説明】
【００１５】
１０  第１接続部材
１２  取付部
２０  第２接続部材
２２，２６  収容部
２４  折曲部
３０  取付部材
１００  アタッチメント装置
【発明の実施の形態】
【００１６】
以下、本発明の実施形態について、図面を参照して説明する。
【００１７】
（実施形態１）
図１は、本発明の実施形態１のアタッチメント装置の構成図である。図１に示すように、アタッチメント装置１００は、第１接続部材１０と第２接続部材２０とに大別される。アタッチメント装置１００の大きさは限定的なものではないが、一例を示すと直径２〜３ｃｍ程度、厚みが５ｍｍ〜１ｃｍ程度とすることができる。
【００１８】
なお、本実施形態のアタッチメント装置１００の場合には、第２接続部材２０が、ユーザの装着物（洋服、かばん、リュックサックなど）に取り付けられるが、後述する他の実施形態のアタッチメント装置１００のように、第１接続部材１０と第２接続部材２０とによってユーザの装着物を挟み込むように取り付けられるようにしてもよい。
【００１９】
第１接続部材１０は、略円盤状の形状をしているが、本体概形がプレート状であれば、
角形、略楕円形など様々な形とすることができる。第１接続部材１０は、金属などの強磁性体とすることもできるし、それ以外のもの（例えば、樹脂製、木製など）に磁性体を貼付したものとすることもできるし、磁石そのものとすることもできる。第２接続部材２０に磁石を備えると、第１接続部材１０と第２接続部材２０とを磁力的結合によって接続することもできる。
【００２０】
もっとも、第１接続部材１０と第２接続部材２０との接続は、磁力的結合による接続に限定されるものではなく、第１接続部材１０を第２接続部材２０の後述する収容部２２に圧入などによる機械的結合によって接続することもできるし、これらを接着剤などによる化学的結合によって接続することもできる。
【００２１】
第１接続部材１０の軸心又はその付近には、物品などに取り付けられる取付部１２が位置する。取付部１２は、第１接続部材１０が金属の場合には、第１接続部材１０本体に対して、溶接、接着剤等によって取り付けることができる。或いは、取付部１２は、第１接続部材１０が樹脂製の場合には、金型等を用いて一体的に形成することもできる。
【００２２】
なお、取付部１２は、本実施形態を含めて後掲の実施形態でいくつかの例を示すが、図１に示すものは側面にダイスなどでねじ山が形成された円柱状をしている。
【００２３】
このような取付部１２は、これらに限定されるものではないが、コサージュを含む立体形状の装飾品だったり、香料が付着された多孔石を含む多孔媒体だったり、といった物品を好適に取り付け可能な構成とされている。
【００２４】
具体的には、物品がコサージュの場合には、生花、造花のいずれとすることもできるが、茎又はこれに相当部分などに円筒状で内壁に取付部１２のねじ山に対応させて、タップなどでねじ山が形成されたものを、接着剤等によって取り付けることが考えられる。
【００２５】
一方、物品が多孔媒体の場合には、多孔媒体自体に開口部を形成して、そこにタップなどで取付部１２のねじ山に対応するねじ山を形成すればよい。なお、多孔媒体には、香水又はアロマオイルを含む香料を染み込ませるなどして付着させると、アタッチメント装置１００のユーザに対してカスタマイズした香りを付与することも可能となる。
【００２６】
ここで、通常、コサージュは、安全ピンなどを通じて、洋服に装着することが多いが、これでは洋服の生地を傷めてしまうことがあり得るが、本実施形態のアタッチメント装置１００を用いれば、このような問題は生じないという利点がある。したがって、高級洋服などについてはこのような使用が好適であろう。一方、それほど高級ではない洋服の場合には、敢えて、洋服などの取付対象に対して穴を開けて、そこに取付部１２を嵌めこむこともできよう。
【００２７】
第２接続部材２０は、本実施形態では、一組の磁石をゴムなどの可撓性を有する樹脂で覆った構成とされている。第２接続部材２０の形状は、図１では、閉状態の第２接続部材２０を示しているが、開状態では略８字状をしていて、以下説明するように、収容部２２と収容部２６とを折曲部２４が仲介する形態とされている。
【００２８】
第２接続部材２０は、例えば、第１接続部材１０の大きさ・形状に対応する凹部状をした、第１接続部材１０の収容部２２を有する。もっとも、収容部２２の形状は、様々な形状の第１接続部材に対応可能なように、第１接続部材１０よりも一回り大きなサイズとしてもよいし、凹部状でなく平面状としてもよい。
【００２９】
また、本実施形態では、収容部２２には磁石が内包されているので、金属製の第１接続
部材１０と相互に自生的結合によって接続されるようにすることができるが、第１接続部材１０との相互接続を目的として磁石が内包されていることは必須ではない。つまり、上述したように、第１接続部材１０と第２接続部材２０とは機械的又は化学的結合による接続をしてもよい。
【００３０】
もっとも、第２接続部材１０の収容部２２と収容部２６との相互接続のためには、一組の磁石を設けることが必要であり、これらは閉状態で収容部２２と収容部２６とが重なり合うように磁極の向きを合わせるとよい。また、磁石は樹脂内に内包するのではなく、閉じ状態の際に収容部２２と収容部２６との間に位置するように、それらの樹脂表面に貼付されるようにしてもよい。
【００３１】
収容部２２に隣接して、第２接続部材２０自体を開状態／閉状態とするための折曲部２４が位置する。第２接続部材２０は、図面の手前側と裏側とで対称的な構成としており、したがって、収容部１２の裏面にも、収容部１２と同形状で磁性体を内包する収容部２６が位置している。収容部２６は、収容部２２と同様の条件のものとすればよいが、そうでなくてもよい。
【００３２】
第２接続部材２０は、ユーザの洋服（とりわけ、襟或いは胸ポケットなど）又はユーザの毛髪に好適に装着することができる。その際には、第２接続部材２０を、図１に示す閉状態から開状態にして、収容部２２と収容部２６とによって襟などを挟み込む態様で閉状態に戻せばよい。
【００３３】
（実施形態２）
図２は、本発明の実施形態２に係る第１接続部材１０の構成図である。図２に示す第１接続部材１０は、図１に示したものに比して取付部１２の形状・構成が大きく異なる。すなわち、図１には第１接続部材１０の軸心又はその付近に、ねじ山が形成された円柱状をした取付部１２が形成されているが、図２には第１接続部材１０の軸心を跨ぎ、かつ、第１接続部材１０の面方向に対して直交方向の断面がコ字状の四角いリング形状を構成する取付部１２が形成されている。
【００３４】
具体的には、図２に示す取付部１２は、その両端が第１接続部材１０から突出する突出部１２ａ，１２ｂと、突出部１２ａ，１２ｂの間に亘って懸架される弾性部１２ｃとを備える。このような第１接続部材１０を備えると、取付部１２と第２接続部材２０本体との間に、サングラスを含む眼鏡の蔓などを通すことで、眼鏡受けとして利用することが可能となる。
【００３５】
なお、第１接続部材１０は、恒常的に眼鏡の蔓などに取り付けていて、眼鏡の未使用時に第２接続部材２０に接続してもよいし、第２接続部材２０に恒常的に接続しておき、眼鏡の未使用時に眼鏡の蔓などをリング形状の取付部１２に挿入するというようにしてもよい。後者の場合には、挿抜時に眼鏡の蔓などが痛まないように、取付部１２の内側にクッション材などを貼付するなど、保護層を形成するとよい。
【００３６】
さらに、眼鏡の蔓などに、一体的に第２接続部材２０が取り付けられ、又は、埋め込まれたものとする、すなわち、眼鏡と第２接続部材２０とが一体化されたものを、第１接続部材１０とともに使用することもできる。なお、この場合には、第２接続部材２０は、図２に示す形状のものではなく、第１接続部材１０に対して磁性的結合が可能であればよいので、磁石又は鉄などとすることができる。
【００３７】
また、突出部１２ａ，１２ｂを後述する図３のようにパイプ状とすることもできる。そうすると、実施形態３で説明するようにピン状部分を有する物品にも適用することが可能
となる。
【００３８】
（実施形態３）
図３は、本発明の実施形態３に係る第２接続部材２０の構成図である。図３に示す第２接続部材２０は、図１に示したものに比して取付部１２の形状・構造が異なる。すなわち、図１に示したものは第１接続部材１０の軸心に、ねじ山が形成された円柱状をした取付部１２が形成されているが、図３に示したものは、第１接続部材１０の軸心に、第２接続部材２０の面方向に延在するパイプ状などの丸いリング形状を含む取付部１２が形成されている。
【００３９】
このような第２接続部材２０を備えると、ピン状部分を有する物品、例えば、ピンバッジ、さらには、物品自体にピン状部分がなくとも、安全ピンなどが取り付けられている名札カードにも適用することができる。具体的には、ピンを取付部１２に通すなどすれば、洋服の生地などを傷めることなく、名札カードをユーザの被服などに装着することが可能となる。
【００４０】
本実施形態のアタッチメント装置１００は、名札カードの他にも、例えば、コサージュ、ブローチ、手のひらサイズのぬいぐるみなどの物品にも好適に用いることができる。これらの物品については、名札カードの場合と同様に、当該安全ピンのピンを、取付部１２に通すなどすれば、洋服の生地などを傷めることなく、コサージュ等をユーザの被服などに装着することが可能となる。
【００４１】
図４は、図３に示した第１接続部材１０の変形例を示す図である。図３の場合には第１接続部材１０の軸心に取付部１２を備えた例を説明したが、図４の場合には第１接続部材１０の縁部に取付部１２を備えている。このような第１接続部材１０を用いると、アタッチメント装置１００のサイズが小さい場合に、取付部１２の延在方向を意識することなく、第２接続部材２０との接続時に、位置合わせを容易に行えるようになる。
【００４２】
（実施形態４）
図５は、本発明の実施形態３に係る第２接続部材２０の構成図である。図１に示した第１接続部材１０の場合には、一組の磁性体を樹脂で覆うことによって構成したものを示したが、図５の場合には、一つの磁性体のみで第１接続部材１０を構成している。
【００４３】
なお、図５には、中央部分に開口部が形成されたドーナツ型の円盤形状をした第１接続部材１０を示しているが、形状はこれに限定されるものではなく、例えば開口部が形成されていない円盤形状のものとすることもできる。
【００４４】
このような第１接続部材１０を用いた場合には、折曲部２４が不要となるので、より、アタッチメント装置１００の装着位置の自由度が増すという利点がある。
【００４５】
図６は、図５に示した第２接続部材２０に好適に用いることができる第１接続部材１０の構成図である。ここで、図３の場合には、第１接続部材１０の平面の軸心に取付部１２を備えた例を説明したが、図６の場合には第１接続部材１０の側面に取付部１２を備えている。第１接続部材１０本体と取付部１２とは一体的な構成とされている。
【００４６】
図５に示す第２接続部材２０は、図１に示したものとはことなり、収容部２２がないため、第１接続部材１０の構造上の自由度が高く、上記のように、第１接続部材１０の側面に取付部１２を形成することが可能となる。このような第１接続部材１０は、製造が容易であるという利点がある。
【００４７】
（実施形態５）
図７は、図１に示す第２接続部材２０の取付部１２に取り付けられる取付部材３０を示す図である。取付部材３０は、いわゆる鬼目ナットと称される部材であり、内側面には取付部１２の外壁のねじ山に対応するねじ山がタップなどでねじ山が形成され、外側面には部分的に間欠したねじ山が形成されている。取付部材３０を用いると、既述の多孔媒体との強固な固着が実現できるという利点がある。
【００４８】
ここで、アタッチメント装置１００は、その用途にもよるが、第１接続部材１０と取付部材３０とによって構成することも可能となる。換言すると、取付部材３０が、物品が取り付けられる取付部を有する接続部材として機能し、第１接続部材１０が取付部材３０に接続される接続部材として機能する。
【００４９】
具体的に好適な用途としては、アクセサリーの類になるが、コスチュームプレイヤーなどの間で「アホ毛」と称される毛髪の一部が跳ね出るような短毛のウィックが挙げられる。このようなウィックの根本を第３接続部材３０に巻きつけるなどして接続し、ユーザが装着する他のウィック或いは毛糸などのニット帽子若しくはニットバッグ若しくはかごバック又は布帽子若しくは布帽バッグの通気口などの穴に、帽子の内側から取付部１２に通し、帽子の外側で取付部１２に第３接続部材３０を螺合させればよい。
【００５０】
また、別の好適なアクセサリーとしては、コスチュームプレイヤーなどの間で「獣耳」と称される、ヒト以外の動物の耳を模したもの、或いは、「獣尾」と称される、動物の尻尾を模したものもが挙げられる。
【００５１】
さらに、他の好適なアクセサリーとしては、例えば音楽などのコンサートやスポーツ観戦の時に、アーティストやスポーツ選手・チームの応援グッズ（例えば、マスコット人形）とすることもできる。
【００５２】
以上説明したように、本発明の各実施形態のアタッチメント装置によれば、様々な物品をユーザ又はその装着物にアタッチメントすることが可能となる。
【図１】
2020115945.tif 000003
【図２】
2020115945.tif 000004
【図３】
2020115945.tif 000005
【図４】
2020115945.tif 000006
【図５】
2020115945.tif 000007
【図６】
2020115945.tif 000008
【図７】
2020115945.tif 000009